(57)【要約】【課題】球受皿を当板にビス止めすることなく組み付けられるようにし、その組付作業の能率を向上させる。【解決手段】パチンコ機１の前面下部に取り付けられる装飾用の当板８，８′と該当板８，８′の前面に装着される球受皿６，６′とからなり、前記当板８，８′の適宜箇所に複数の係合孔９ａ，９ｂ，９ｃを設け、一方球受皿６，６′の後面に上方へ突出する複数の突起１５，１５′，１５′ａを設け、また、下面には後面から後方へ突出する複数の係止片１６を設け、各突起１５，１５′，１５′ａと各係止片１６を前記各係合孔９ａ，９ｂ，９ｃに係合させるようにした。【選択図】図３
2004283626.tif 000002
【特許請求の範囲】
【請求項１】
パチンコ機の前面下部に取り付けられる装飾用の当板と該当板の前面に装着される球受皿とからなり、前記当板の適宜箇所に複数の係合孔を設け、一方、球受皿の後面に上方へ突出する複数の突起を設け、また、下面には後面から後方へ突出する複数の係止片を設け、これら各突起と各係止片をそれぞれ前記各係合孔に係合させるようにしたことを特徴とするパチンコ機における球受皿の組付構造。
【発明の詳細な説明】
【技術分野】
【０００１】
本発明は、パチンコ機の前面に装着される球受皿の組付構造の改良に関するものである。
【背景技術】
【０００２】
一般に、パチンコ機の前面下部には装飾用の当板を介してパチンコ球を貯留する球受皿が装着されている。ところで、該球受皿は、当板の前面に当てがわれ、この状態でその裏側から、球受皿の上下縁に沿ってそれぞれ多くのビスを締め付けることにより当板に組み付けられていた（例えば、特許文献１参照。）。
【特許文献１】実開昭６４−９６８９号公報（第１頁、第１図、第２図）
【発明の開示】
【発明が解決しようとする課題】
【０００３】
このように、球受皿は多くのビスを締め止めするこにより組み付けられるので、ビス止め作業に多くの手間と時間が掛かり、作業能率が悪いという課題が有った。  そこで、本発明は上記課題を解決するべくなされたもので、ビス止め作業をすることなく球受皿が組み付けられるようにして作業の能率向上を図るようにしたパチンコ機における球受皿の組付構造を提供することを目的とする。
【課題を解決するための手段】
【０００４】
かかる目的を達成するため、本発明のパチンコ機における球受皿の組付構造は、パチンコ機の前面下部に取り付けられる装飾用の当板と該当板の前面に装着される球受皿とからなり、前記当板の適宜箇所に複数の係合孔を設け、一方球受皿の後面に上方へ突出する複数の突起を設け、また、下面には後面から後方へ突出する複数の係止片を設け、これら各突起と各係止片をそれぞれ前記各係合孔に係合させるようにしたものである。
【０００５】
球受皿を当板の前面に当てがい、球受皿の上方へ突設された突起と後面から後方へ突設された係止片をそれぞれ当板の各係合孔に係合することにより、当板前面に球受皿が組み付けられる。
【発明の効果】
【０００６】
以上述べたように、本発明に係るパチンコ機における球受皿の組付構造は、突起と係止爪をそれぞれ係合孔に係合するのみで球受皿をワンタッチ式に組み付けられるので、ビス止め作業が全く不要となり、これにより球受皿の組付作業が簡単に行なえると共にその作業能率も大幅に向上させることができる。
【発明を実施するための最良の形態】
【０００７】
以下に本発明に係る球受皿の組付構造の一実施例を図面と共に説明する。図１は本発明が適用されるパチンコ機の正面図である。図中、１はパチンコ機、２は該パチンコ機１の前面に開閉自在に装着される前面枠で、その前面にはガラス扉枠３と前板４がそれぞれ上下に装着される。また、前板４の前面に打球供給皿５が取り付けられ、前面枠２の前面下部には本発明に係る球受皿６が組み付けられている。７はその一側に設けられた操作ハンドルである。
【０００８】
しかして、本発明に係る球受皿６は図２，図３に示すようにパチンコ機１の前面下部に装着される装飾用の当板８に組み付けられる。該当板８には上部長手方向に沿って３箇所に係合孔９ａが設けられ、また下部長手方向に沿って同じく３箇所に係合孔９ｂが設けられている。当板８の中央には、パチンコ機１の裏側から払いだされるパチンコ球を排出するための出口部１０が開設されている。また、当板８の前面下縁には図４に示すように前方へ若干突出する棚部１１が張設され、この棚部１１で球受皿６の下面を支持するようにしている。なお、１２は操作ハンドル７が挿通される通孔である。
【０００９】
一方、球受皿６は、前記出口部１０と連なり、そこから排出されるパチンコ球を貯留するための球貯留部１３が形成されると共に、一側に灰皿１４が装着されている。そして、後面６ａ上縁に前記各係合孔９ａに対応位置させて３個の突起１５が上方へ突設されており、下面６ｂには前記各係合孔９ｂに対応位置させて３個の係止片１６が後面６ａから後方へ突設するように設けられている。これら係止片１６の先端部にはそれぞれ下向きの爪部１７が設けられている。
【００１０】
本発明の球受皿の組付構造は上記構成からなり、球受皿６の後面６ａを当板８の前面に当てがい、各係合孔９ａに各突起１５を係合させ、次いで各係止片１６の先端部を各係合孔９ｂ内へ押し込み、その先端部の爪部１７を各係合孔９ｂに係合させる。これにより、球受皿６が当板８の前面に一体に組み付けられる。そこで、当板８は図４に示すように前面枠２の前面に装着される。
【００１１】
なお、本実施例において、前記突起１５は硬質の合成樹脂からなり、このように硬く強度的に強い材質が選ばれる。これは、例えばパチンコ機１を運ぶ場合、業者がパチンコ機１を上下逆にし、しかも球受皿６を手に掛けて持ち上げることが有り、この時、球受皿６の後面６ａ上縁に過大な負荷が加わり破損するおそれが生ずるためである。
【００１２】
また、球受皿６は当板８の前側から組み付けられ、同時に各爪部１７の係止を外すことにより前側から取り外すこともできる。よって、例えば球受皿６が焼損したり、球受皿６に装着された灰皿１４が損傷した場合に、球受皿６を前側から外せば良く、前板８を前面枠２から外してから球受皿６を外す必要はないので、その交換が容易且つ簡単に行なえる。このため、係止片１６の両側にスリットＳ，Ｓを設けて係止片１６に弾力性を持たせておくことが望ましい。
【００１３】
図５乃至図７に示すものは、他の実施例に係る球受皿６′の組付構造を示すものである。図中、８′は当板であり、長手方向に沿って４箇所にそれぞれ長短様々な縦長の係合孔９ｃが設けられている。一方、球受皿６′は上半部６１と下半部６２とからなり、上半部６１の後面６′ａ上縁が山形状に湾曲して形成されている。そして、該後面６′ａ上縁に前記各係合孔９ｃと対応位置させて４個の突起１５′が上方へ突設されており、下半部６２の下面６′ｂには前記１つの係合孔９′ｃを除いた各係合孔９ｃに対応位置して３個の係止片１６′が後面６′ａから後方へ突設されている。これら係止片１６′の両側にはスリットＳ，Ｓが設けられ、またそれら先端部にはそれぞれ下向きの爪片１７′が設けられている。
【００１４】
そこで、上半部６１と下半部６２を一体にした球受皿６′の後面６′ａを当板８′の前面に当てがい、各係合孔９ｃ内の上部に各突起１５′を係合させる。次いで、各係止片１６′の先端部を各係合孔９ｃ内の下部へ押し込み、その先端部の爪部１７′を係合させる。これにより、図７に示すように当板８′の前面に球受皿６′が組み付けられる。また、前記係合孔９ｃの内、突起１５′ａの係合する係合孔９′ｃは、周囲に凹窪部１８が形成されている。これは、前記突起１５′ａが後面６′ａ上縁の最上部に位置している関係から、突起１５′ａが最初に係合孔９′ｃに係合するも、この時、突起１５′ａの基端側の後面６′ａ上縁が当板８′の前面につかえて他の突起１５′が各係合孔９ｃに係合し得なくなるので、その後面６′ａ上縁を凹窪部１８に介入させてこのような支障を避けるためである。
【００１５】
なお、他の部位は本実施例と同じなので、同一符号をもって示す。また、この実施例においてもパチンコ機１の前面から取り外し可能であること勿論である。
また、灰皿１４′は図６，図８に示すように、両側面の前部に灰皿１４′が回動自在に軸支される支軸１９，１９が突設されており、また後部両側角部に円弧状の切欠部２０，２０が設けられている。一方、灰皿１４′を装着するために球受皿６′の一側に設けられた収容凹部２１の内側両面には、支軸１９，１９が軸支される軸受部２２，２２と前記切欠部２０，２０が嵌入して灰皿１４′を支持する円柱状の支持突起２３，２３がそれぞれ前後に突設されている。
【００１６】
前記支持突起２３は、外径が切欠部２０の内径と略同一寸法にしてあり、しかもその中心点は切欠部２０の中心点より若干前方に位置がずらせてあり、これにより灰皿１４′が図８鎖線のように後方へ回動すると、切欠部２０が支持突起２３にきつく嵌り込み、灰皿１４′の前方への無用な回動が防止されるようになっている。
【図面の簡単な説明】
【００１７】
【図１】本発明が適用されるパチンコ機の正面図。
【図２】球受皿と当板の組付状態を示す斜視図。
【図３】同上分解斜視図。
【図４】同上組付状態を示す側面断面図。
【図５】他の実施例の球受皿と当板の組付状態を示す斜視図。
【図６】同上分解斜視図。
【図７】同上組付状態を示す側面断面図。
【図８】灰皿の作用を示す側面断面図。
【符号の説明】
【００１８】
１                        パチンコ機
６，６′                  球受皿
８，８′                  当板
９ａ，９ｂ，９ｃ          係合孔
１５，１５′，１５′ａ    突起
１６                      係止片
１７，１７′              爪部
【図１】
2004283626.tif 000003
【図２】
2004283626.tif 000004
【図３】
2004283626.tif 000005
【図４】
2004283626.tif 000006
【図５】
2004283626.tif 000007
【図６】
2004283626.tif 000008
【図７】
2004283626.tif 000009
【図８】
2004283626.tif 000010
【手続補正書】
【提出日】平成16年8月5日(2004.8.5)
【手続補正１】
【補正対象書類名】特許請求の範囲
【補正対象項目名】全文
【補正方法】変更
【補正の内容】
【特許請求の範囲】
【請求項１】
灰皿を備えてなる球受皿であって、前記灰皿は収容凹部内に配置されると共に前後方向へ自在に回動するように両側面の前部で軸着され、前記灰皿の後部両側角部に円弧状の切欠部を設け、一方、前記収容凹部の内側面には前記切欠部が嵌合し得る円柱状の支持突起を突設し、前記支持突起の外径を前記切欠部の内径とほぼ同一寸法に設定しかつ中心点を前記切欠部の中心点より若干前後に位置をずらしてなり、前記灰皿を後方へ回動したとき前記切欠部が前記支持突起にきつく嵌り込むようにしたことを特徴とするパチンコ機における球受皿。
【手続補正２】
【補正対象書類名】明細書
【補正対象項目名】全文
【補正方法】変更
【補正の内容】
【発明の詳細な説明】
【技術分野】
【０００１】
本発明は、パチンコ機の前面に装着される球受皿に関するものである。
【背景技術】
【０００２】
一般に、パチンコ機の前面下部には装飾用の当板を介してパチンコ球を貯留する球受皿が装着されている。ところで、該球受皿は、当板の前面に当てがわれ、この状態でその裏側から、球受皿の上下縁に沿ってそれぞれ多くのビスを締め付けることにより当板に組み付けられていた（例えば、特許文献１参照。）。
【特許文献１】実開昭６４−９６８９号公報（第１頁、第１図、第２図）
【発明の開示】
【発明が解決しようとする課題】
【０００３】
このように、球受皿は多くのビスを締め止めするこにより組み付けられるので、ビス止め作業に多くの手間と時間が掛かり、作業能率が悪いという課題が有った。  そこで、本発明は上記課題を解決するべくなされたもので、ビス止め作業をすることなく球受皿が組み付けられるようにして作業の能率向上を図るようにしたパチンコ機における球受皿を提供することを目的とする。また、回動自在に装着される灰皿の前方への無用な回動を防止することを目的とする。
【課題を解決するための手段】
【０００４】
かかる目的を達成するため、本発明のパチンコ機における球受皿は、灰皿を備えてなる球受皿であって、前記灰皿は収容凹部内に配置されると共に前後方向へ自在に回動するように両側面の前部で軸着され、前記灰皿の後部両側角部に円弧状の切欠部を設け、一方、前記収容凹部の内側面には前記切欠部が嵌合し得る円柱状の支持突起を突設し、前記支持突起の外径を前記切欠部の内径とほぼ同一寸法に設定しかつ中心点を前記切欠部の中心点より若干前後に位置をずらしてなり、前記灰皿を後方へ回動したとき前記切欠部が前記支持突起にきつく嵌り込むようにしたものである。
【０００５】
球受皿を当板の前面に当てがい、球受皿の上方へ突設された突起と後面から後方へ突設された係止片をそれぞれ当板の各係合孔に係合することにより、当板前面に球受皿が組み付けられる。
【発明の効果】
【０００６】
以上述べたように、本発明に係るパチンコ機における球受皿の組付構造は、突起と係止爪をそれぞれ係合孔に係合するのみで球受皿をワンタッチ式に組み付けられるので、ビス止め作業が全く不要となり、これにより球受皿の組付作業が簡単に行なえると共にその作業能率も大幅に向上させることができる。
【発明を実施するための最良の形態】
【０００７】
以下に本発明に係る球受皿の組付構造の一実施例を図面と共に説明する。図１は本発明が適用されるパチンコ機の正面図である。図中、１はパチンコ機、２は該パチンコ機１の前面に開閉自在に装着される前面枠で、その前面にはガラス扉枠３と前板４がそれぞれ上下に装着される。また、前板４の前面に打球供給皿５が取り付けられ、前面枠２の前面下部には本発明に係る球受皿６が組み付けられている。７はその一側に設けられた操作ハンドルである。
【０００８】
しかして、本発明に係る球受皿６は図２，図３に示すようにパチンコ機１の前面下部に装着される装飾用の当板８に組み付けられる。該当板８には上部長手方向に沿って３箇所に係合孔９ａが設けられ、また下部長手方向に沿って同じく３箇所に係合孔９ｂが設けられている。当板８の中央には、パチンコ機１の裏側から払いだされるパチンコ球を排出するための出口部１０が開設されている。また、当板８の前面下縁には図４に示すように前方へ若干突出する棚部１１が張設され、この棚部１１で球受皿６の下面を支持するようにしている。なお、１２は操作ハンドル７が挿通される通孔である。
【０００９】
一方、球受皿６は、前記出口部１０と連なり、そこから排出されるパチンコ球を貯留するための球貯留部１３が形成されると共に、一側に灰皿１４が装着されている。そして、後面６ａ上縁に前記各係合孔９ａに対応位置させて３個の突起１５が上方へ突設されており、下面６ｂには前記各係合孔９ｂに対応位置させて３個の係止片１６が後面６ａから後方へ突設するように設けられている。これら係止片１６の先端部にはそれぞれ下向きの爪部１７が設けられている。
【００１０】
本発明の球受皿の組付構造は上記構成からなり、球受皿６の後面６ａを当板８の前面に当てがい、各係合孔９ａに各突起１５を係合させ、次いで各係止片１６の先端部を各係合孔９ｂ内へ押し込み、その先端部の爪部１７を各係合孔９ｂに係合させる。これにより、球受皿６が当板８の前面に一体に組み付けられる。そこで、当板８は図４に示すように前面枠２の前面に装着される。
【００１１】
なお、本実施例において、前記突起１５は硬質の合成樹脂からなり、このように硬く強度的に強い材質が選ばれる。これは、例えばパチンコ機１を運ぶ場合、業者がパチンコ機１を上下逆にし、しかも球受皿６を手に掛けて持ち上げることが有り、この時、球受皿６の後面６ａ上縁に過大な負荷が加わり破損するおそれが生ずるためである。
【００１２】
また、球受皿６は当板８の前側から組み付けられ、同時に各爪部１７の係止を外すことにより前側から取り外すこともできる。よって、例えば球受皿６が焼損したり、球受皿６に装着された灰皿１４が損傷した場合に、球受皿６を前側から外せば良く、前板８を前面枠２から外してから球受皿６を外す必要はないので、その交換が容易且つ簡単に行なえる。このため、係止片１６の両側にスリットＳ，Ｓを設けて係止片１６に弾力性を持たせておくことが望ましい。
【００１３】
図５乃至図７に示すものは、他の実施例に係る球受皿６′の組付構造を示すものである。図中、８′は当板であり、長手方向に沿って４箇所にそれぞれ長短様々な縦長の係合孔９ｃが設けられている。一方、球受皿６′は上半部６１と下半部６２とからなり、上半部６１の後面６′ａ上縁が山形状に湾曲して形成されている。そして、該後面６′ａ上縁に前記各係合孔９ｃと対応位置させて４個の突起１５′が上方へ突設されており、下半部６２の下面６′ｂには前記１つの係合孔９′ｃを除いた各係合孔９ｃに対応位置して３個の係止片１６′が後面６′ａから後方へ突設されている。これら係止片１６′の両側にはスリットＳ，Ｓが設けられ、またそれら先端部にはそれぞれ下向きの爪片１７′が設けられている。
【００１４】
そこで、上半部６１と下半部６２を一体にした球受皿６′の後面６′ａを当板８′の前面に当てがい、各係合孔９ｃ内の上部に各突起１５′を係合させる。次いで、各係止片１６′の先端部を各係合孔９ｃ内の下部へ押し込み、その先端部の爪部１７′を係合させる。これにより、図７に示すように当板８′の前面に球受皿６′が組み付けられる。また、前記係合孔９ｃの内、突起１５′ａの係合する係合孔９′ｃは、周囲に凹窪部１８が形成されている。これは、前記突起１５′ａが後面６′ａ上縁の最上部に位置している関係から、突起１５′ａが最初に係合孔９′ｃに係合するも、この時、突起１５′ａの基端側の後面６′ａ上縁が当板８′の前面につかえて他の突起１５′が各係合孔９ｃに係合し得なくなるので、その後面６′ａ上縁を凹窪部１８に介入させてこのような支障を避けるためである。
【００１５】
なお、他の部位は本実施例と同じなので、同一符号をもって示す。また、この実施例においてもパチンコ機１の前面から取り外し可能であること勿論である。
また、灰皿１４′は図６，図８に示すように、両側面の前部に灰皿１４′が回動自在に軸支される支軸１９，１９が突設されており、また後部両側角部に円弧状の切欠部２０，２０が設けられている。一方、灰皿１４′を装着するために球受皿６′の一側に設けられた収容凹部２１の内側両面には、支軸１９，１９が軸支される軸受部２２，２２と前記切欠部２０，２０が嵌合して灰皿１４′を支持する円柱状の支持突起２３，２３がそれぞれ前後に突設されている。
【００１６】
前記支持突起２３は、外径が切欠部２０の内径と略同一寸法にしてあり、しかもその中心点は切欠部２０の中心点より若干前方に位置がずらせてあり、これにより灰皿１４′が図８鎖線のように後方へ回動すると、切欠部２０が支持突起２３にきつく嵌り込み、灰皿１４′の前方への無用な回動が防止されるようになっている。
【図面の簡単な説明】
【００１７】
【図１】本発明が適用されるパチンコ機の正面図。
【図２】球受皿と当板の組付状態を示す斜視図。
【図３】同上分解斜視図。
【図４】同上組付状態を示す側面断面図。
【図５】他の実施例の球受皿と当板の組付状態を示す斜視図。
【図６】同上分解斜視図。
【図７】同上組付状態を示す側面断面図。
【図８】灰皿の作用を示す側面断面図。
【符号の説明】
【００１８】
１                        パチンコ機
６，６′                  球受皿
８，８′                  当板
９ａ，９ｂ，９ｃ          係合孔
１５，１５′，１５′ａ    突起
１６                      係止片
１７，１７′              爪部
２０                      切欠部
２１                      収容凹部
２３                      支持突起